(57)【特許請求の範囲】
【請求項１】
ベース板と、
前記ベース板の前面に宛がわれる台板部および前記台板部に支持された入賞口を有するものであって、前記台板部を前記ベース板に固定することに基づいて前記ベース板の前面に取付けられる２個の入球口部材と、
前記２個の入球口部材相互間の位置が有限な範囲内で無段階に調節可能となるように両者を相互に連結する連結機構を備え、
前記２個の入球口部材のそれぞれを前記ベース板の前面に取付けるときには、前記連結機構と前記連結機構を介して相互に連結された前記２個の入球口部材を含む入球口連結体を準備し、前記２個の入球口部材相互間の位置を前記入球口連結体において調節することを特徴とするパチンコ機の遊技盤。
【請求項２】
前記連結機構は、
前記２個の入球口部材相互間を両者が左右方向に並ぶように連結するものであって、
一端部が一方の入球口部材に回動可能に連結された第１の揺動アームと、
一端部が前記第１の揺動アームの他端部に第１のピンを介して回動可能に連結され且つ他端部が他方の入球口部材に回動可能に連結された第２の揺動アームと、
前記第１の揺動アームの下方に配置され、一端部が前記一方の入球口部材に回動可能に連結された第３の揺動アームと、
前記第２の揺動アームの下方に配置され、一端部が前記第３の揺動アームの他端部に第２のピンを介して回動可能に連結され且つ他端部が前記他方の入球口部材に回動可能に連結された第４の揺動アームと、
一端部が前記第１のピンを介して前記第１の揺動アームおよび前記第２の揺動アームのそれぞれに回動可能に連結され且つ他端部が前記第２のピンを介して前記第３の揺動アームおよび前記第４の揺動アームのそれぞれに回動可能に連結された中間連結アームを備えていることを特徴とする請求項１記載のパチンコ機の遊技盤。
【発明の詳細な説明】
【０００１】
【発明の属する技術分野】
本発明は、入球口を有する入球口部材を盤面に取付けるようにしたパチンコ機の遊技盤に関する。
【０００２】
【発明が解決しようとする課題】
一般に、パチンコ機の遊技盤は、盤面に、入賞口を有する入球口部材を複数個設けて構成されている。例えばいわゆるヒコーキタイプ（第２種）のパチンコ機においては、羽根形の開閉部材を有する可動入賞装置の下方の中央及び左右の３か所に位置して、夫々始動入賞口（チャッカー）を有する入球口部材が取付けられる。この入球口部材は、例えばプラスチック成型品に遊技球検出用のセンサ等を組付けて構成され、入賞口が正しく上を向くように位置決めされた状態で、複数箇所にてビス止めされることにより、盤面に取付けられる。
【０００３】
しかしながら、このような取付構造では、入球口部材の位置決め及びビス止めの作業を、複数個の入球口部材に関して夫々行わなければならず、取付作業が面倒なものとなっていた。そこで、例えば大形（横長）の台板部の前面に３個の入賞口を横に並べて設けるといった形態の、３個の入球口部材を一体化した如き部材（三連チャッカー）を作製し、これを盤面に取付けるようにすることも考えられる。これによれば、３個の入球口部材を個々に取付ける場合と比較して取付作業性を高めることができる。
【０００４】
ところが、このような三連チャッカーでは、３個の入賞口の位置（相互の位置関係）が固定されるので、例えば釘の配設位置の微小な位置ずれ等のばらつきに対処するための、個々の入賞口の微妙な位置調整を行うことができない不具合がある。また、１種類の三連チャッカーを、入賞口の配置が相違する（設計の異なる）複数機種の遊技盤に共用することはできず、遊技盤の機種毎に新たな三連チャッカーを作製しなければならなくなる欠点が生ずる。
【０００５】
本発明は上記事情に鑑みてなされたもので、その目的は、入球口部材の取付作業性を向上させることができ、しかもその入球口部材を入球口の配置の異なる別の機種のものに共用させることを可能とするパチンコ機の遊技盤を提供するにある。
【０００６】
【課題を解決するための手段】
請求項１に記載のパチンコ機の遊技盤は、ベース板と、前記ベース板の前面に宛がわれる台板部および前記台板部に支持された入賞口を有するものであって前記台板部を前記ベース板に固定することに基づいて前記ベース板の前面に取付けられる２個の入球口部材と、前記２個の入球口部材相互間の位置が有限な範囲内で無段階に調節可能となるように両者を相互に連結する連結機構を備え、前記２個の入球口部材のそれぞれを前記ベース板の前面に取付けるときには前記連結機構と前記連結機構を介して相互に連結された前記２個の入球口部材を含む入球口連結体を準備し前記２個の入球口部材相互間の位置を前記入球口連結体において調節するところに特徴を有する。
【０００７】
請求項１に記載のパチンコ機の遊技盤によれば、２個の入球口部材が連結されているので、１回の取付作業で２個の入球口部材が盤面に取付けられる形態となり、入球口部材を個々に取付ける場合と比較して取付作業が容易となる。そして、連結機構は、入球口部材の相互間位置を無段階に調節可能に構成されているので、特定の入球口部材の微妙な位置調整を可能とすると共に、入球口部材の配置が相違する複数機種に対して共用させることが可能となる。
【０００８】
請求項２に記載のパチンコ機の遊技盤は、前記連結機構は前記２個の入球口部材相互間を両者が左右方向に並ぶように連結するものであって、一端部が一方の入球口部材に回動可能に連結された第１の揺動アームと、一端部が前記第１の揺動アームの他端部に第１のピンを介して回動可能に連結され且つ他端部が他方の入球口部材に回動可能に連結された第２の揺動アームと、前記第１の揺動アームの下方に配置され一端部が前記一方の入球口部材に回動可能に連結された第３の揺動アームと、前記第２の揺動アームの下方に配置され一端部が前記第３の揺動アームの他端部に第２のピンを介して回動可能に連結され且つ他端部が前記他方の入球口部材に回動可能に連結された第４の揺動アームと、一端部が前記第１のピンを介して前記第１の揺動アームおよび前記第２の揺動アームのそれぞれに回動可能に連結され且つ他端部が前記第２のピンを介して前記第３の揺動アームおよび前記第４の揺動アームのそれぞれに回動可能に連結された中間連結アームを備えているところに特徴を有する。この請求項２に記載のパチンコ機の遊技盤によれば、２個の入球口部材のそれぞれの向きを一定に保った状態で、２個の入球口部材相互間の位置変更を行うことができるようになる。
【００１０】
【発明の実施の形態】
以下、本発明をいわゆるヒコーキタイプ（第２種）のパチンコ機の遊技盤に適用した一実施例について、図面を参照しながら説明する。まず、図５は、本実施例に係る遊技盤１の構成を正面から示しており、ここで、遊技盤１は、矩形状をなす合板製のベース板２の前面の、レール３で囲まれたほぼ円形の領域に遊技部４を有して構成されている。尚、前記レール３は、左側部位にて内外二重とされており、その部分が、発射された遊技球（図示せず）を遊技部４に導く誘導レール部５とされている。また、ベース板２の前面のレール３の外側部位には、コーナー飾りランプ６や球切れ表示ランプ７等も設けられている。
【００１１】
前記遊技部４は、ベース板２の前面（レール３の内側領域）に、多数本の釘（図示を省略している）や複数個の風車８を配設すると共に、ほぼ中心部に位置して、可動入賞装置９を配設し、さらにその下方に位置して、詳しくは後述するように、この場合３つの入球口たる始動入賞口（チャッカー）を有する入球口連結体１０を配設して構成されている。
【００１２】
詳しい説明は省略するが、前記可動入賞装置９は、羽根形の開閉部材１１やその駆動機構（図示せず）を有すると共に、内部にＶゾーン（継続領域）１２や通常入賞領域１３を設けて構成されている。また、遊技部４には、その可動入賞装置９の左右に位置して、左肩及び右肩入賞口１４や左袖及び右袖入賞口１５等も設けられ、さらには、左右の電飾ランプ１６、最低部に位置するアウト口１７等も設けられている。
【００１３】
尚、前記可動入賞装置９は、後述する始動入賞口に遊技球の入賞があると、開閉部材１１が１回あるいは２回開閉し、その際に、遊技球のＶゾーン１２への入賞があると、開閉部材１１の連続開閉動作を行い、その動作中に更に遊技球がＶゾーン１２へ入賞すると、その連続開閉動作を継続することを繰返すようになっている。
【００１４】
さて、前記入球口連結体１０について、図１ないし図４も参照して詳述する。図１ないし図３に示すように、この入球口連結体１０は、中央に位置する中央入球口部材１８の左右に対称的に位置して、側部入球口部材１９，１９を連結機構２０，２０を介して連結して構成されている。
【００１５】
このうち中央入球口部材１８は、図４にも示すように、プラスチック成型品からなり、ほぼ矩形状をなし前記ベース板２の前面に宛がわれる台板部２１、この台板部２１の前面に位置して上向きに設けられた２アクション用の始動入賞口２２、この始動入賞口２２の下部に連続し台板部２１を貫通して奥方に延びるＵ溝状の球通路２３、前面を覆う飾り板２４等を有して構成されている。前記台板部２１には、上端の左右部と下端の中央部とに位置して、合計３個のビス止め用穴２１ａが形成されている。
【００１６】
また、この中央入球口部材１８には、前記始動入賞口２２への入賞を検出するためのセンサ２５が組付けられている。このセンサ２５は、周知の近接スイッチからなり、前記始動入賞口２２にラップする八角形の穴を有し、その穴を遊技球が通過したことを検知するようになっている。始動入賞口２２に入賞した遊技球は、球通路２３を通って遊技盤１の背面側の入賞球処理装置へ向けて送られるようになっている。尚、この始動入賞口２２への遊技球の入賞を検知すると、前記可動入賞装置９の開閉部材１１が２回開閉するようになっており、前記飾り板２４には、その旨を示す「２」の文字が記されている。
【００１７】
一方、前記右側の側部入球口部材１９は、上記中央入球口部材１８と同様に、プラスチック成型品からなり、右方に鋭角的に延びるほぼ三角形状をなし前記ベース板２の前面に宛がわれる台板部２６、この台板部２６の前面左寄り位置に上向きに設けられた１アクション用の始動入賞口２７、この始動入賞口２７の下部に連続し台板部２６を貫通して奥方に延びるＵ溝状の球通路２８、始動入賞口２７部分の前面を覆う飾り板２９を有して構成されている。
【００１８】
また、前記始動入賞口２７部分には遊技球の入賞を検知するための上記と同様のセンサ（近接スイッチ）３０が組付けられている。この場合、始動入賞口２７に遊技球が入賞すると、可動入賞装置９の開閉部材１１が１回だけ開閉するようになっており、飾り板２９には「１」の文字が記されている。さらに、前記台板部２６の右寄り部位には、ランプ３１（図３参照）を内蔵する電飾部３２が奥側に膨出した形態に設けられている。台板部２６には、左端部の上下と右端部とに位置して、合計３個のビス止め用穴２６ａが形成されている。尚、左側の側部入球口部材１９については、右側の側部入球口部材１９と左右対称なだけの同等の構成を備えるので、説明を省略する。
【００１９】
そして、このように構成された中央入球口部材１８と側部入球口部材１９とを連結する連結機構２０は、以下のように構成されている。尚、この連結機構２０についても、右側と左側とで左右対称なだけの同等の構成を備えるので、右側の連結機構２０を代表させて説明する。
【００２０】
この連結機構２０は、図１に示すように、同等の長さ寸法を有する４本の揺動アーム３３〜３６及び１本の中間連結アーム３７を備え、いわゆる平行四辺形リンクを構成するようになっている。即ち、左上に位置する揺動アーム３３の左端部が、前記中央入球口部材１８の飾り板２４の裏面側の右辺上部部分に、ピン３８により回動可能に接続されている。また、左下に位置する揺動アーム３４の左端部が、飾り板２４の裏面側の右辺下部部分に、ピン３９により回動可能に接続されている。
【００２１】
一方、右上に位置する揺動アーム３５の右端部が、前記側部入球口部材１９の飾り板２９の裏面側の左辺上部部分に、ピン４０により回動可能に接続されている。また、右下に位置する揺動アーム３６の右端部が、飾り板２９の裏面側の左辺下部部分に、ピン４１により回動可能に接続されている。そして、前記揺動アーム３３の右端部、揺動アーム３５の左端部、前記中間連結アーム３７の上端部の三者が、ピン４２により相互に回動可能に接続されていると共に、前記揺動アーム３４の右端部、揺動アーム３６の左端部、中間連結アーム３７の下端部の三者が、ピン４３により相互に回動可能に接続されている。
【００２２】
これにて、中央入球口部材１８と側部入球口部材１９とは、連結機構２０により、揺動アーム３３〜３６の可動範囲内で相互間の位置が無段階に変更可能な状態に連結されている。このとき、連結機構２０は平行四辺形リンクを構成するので、中央入球口部材１８及び側部入球口部材１９は、始動入賞口２２及び２７の向きを一定（平行）に保った状態で、相互間の位置の変更（調整）がなされるようになっているのである。尚、図示はしないが、連結機構２０，２０のすぐ真上部には、夫々釘が配設され、遊技球が連結機構２０，２０に直接当たらないように構成されている。
【００２３】
次に、上記構成の作用について、図６ないし図９も参照して述べる。遊技盤１を組立てるにあたっては、ベース板２に対し、レール３、釘や風車８、可動入賞装置９などを組付けていくと共に、合計３個の入球口部材１８，１９を組付ける。この場合、中央及び左右の側部の入球口部材１８，１９は、連結機構２０により一体的に連結された入球口連結体１０とされており、その形態でベース板２に取付けられる。
【００２４】
即ち、例えば、入球口連結体１０をベース板２の前面に宛がいながら、そのうち中央入球口部材１８の始動入賞口２２が真上を向くように所定位置に位置決めした状態として、その台板部２１の３箇所にてビス止めし、引続き、左右の側部入球口部材１９の台板部２６にて夫々同様にビス止めするようにする。これにて、１回の入球口連結体１０の取付作業で３個の入球口部材１８，１９がベース板２に取付けられる形態となり、入球口部材１８，１９を個々にベース板２に取付ける場合と比較して取付作業を容易に済ませることができる。
【００２５】
また、このとき、連結機構２０，２０は、中央入球口部材１８に対して左右の側部入球口部材１９，１９の位置を無段階に調節可能に連結しているので、例えば釘の配設位置の微小な位置ずれや、孔の形成位置のばらつき等に対処するための、ベース板２に対する固定時における側部入球口部材１９，１９の微妙な位置調整が可能となるのである。
【００２６】
しかも、連結機構２０は、揺動アーム３３〜３６を平行四辺形リンクを構成するように備えているので、合計３個の始動入賞口２２，２７の向きを一定（平行）に保った状態で、各入球口部材１８，１９の相互間の位置変更を行うことができる。従って、１個の始動入賞口２２が正しく上を向くように位置決めされていれば、残りの２個の始動入賞口２７も常に正しく上を向くようになり、側部入球口部材１９の位置調整（変更）の際の始動入賞口２７の向きを微調整する作業が不要となるのである。
【００２７】
そして、この入球口連結体１０は、入球口部材１８，１９の相互間の位置を変更可能に構成されているので、入球口部材１８，１９の配置が相違する複数機種に対しての共用が可能となる。即ち、図６〜図９は、入球口部材１８，１９の相互間の位置を、図１における配置とは異ならせた例をそれぞれ示している。このうち、図６は、中央入球口部材１８に対して、左右の側部入球口部材１９，１９の離間距離を変更この場合側方に一杯まで離間させたものである。また、図７は、中央入球口部材１８に対して、左右の側部入球口部材１９，１９を下方に位置させ、図８は、中央入球口部材１８に対して、左右の側部入球口部材１９，１９を上方に位置させたものである。更に図９は、中央入球口部材１８に対して左右の側部入球口部材１９，１９を夫々上下に位置させたものである。
【００２８】
このように、入球口連結体１０は、３個の入球口部材１８，１９の配置を種々変更して使用することができ、機種の異なる遊技盤１に対して共用して使用することが可能となる、言換えれば、１種類の入球口連結体１０を用いながらも、遊技盤１（遊技部４）を設計する際の自由度を高めることができるのである。尚、入球口連結体１０を別の機種に用いる際には、表面に対する着色等を変更することにより、使用者にそれと気付かせずに、入球口連結体１０を共用させることができるものである。
【００２９】
このような本実施例によれば、中央入球口部材１８及び左右の側部入球口部材１９，１９を、連結機構２０により一体的に連結した入球口連結体１０として構成したので、従来のような入球口部材を個々に独立して取付けるものと異なり、入球口部材１８，１９の取付作業性を向上させることができる。しかも、入球口部材１８，１９の相互間の位置が無段階に調節可能なので、３個の入球口部材を一体化した三連チャッカーとして構成するものと異なり、特定の入球口部材１８，１９の微妙な位置調整を可能とすると共に、入球口部材１８，１９の配置が相違する複数機種に対して、その入球口連結体１０を共用させることが可能となるものである。
【００３０】
さらに、特に本実施例では、連結機構２０を複数の揺動アーム３３〜３６及び中間連結アーム３７から平行四辺形リンクを構成するようにしたので、始動入賞口２２，２７の向きを一定に保った状態で、各入球口部材１８，１９の相互間の位置変更を行うことができるようになり、位置決め作業等の一層の簡単化を図ることができるという利点も得ることができる。
【００３１】
尚、上記実施例では、本発明をいわゆるヒコーキタイプ（第２種）のパチンコ機に適用するようにしたが、本発明は、ヒコーキタイプ以外にも各種の遊技盤に適用することができる。また、上記実施例の入球口連結体１０では、３個の入球口部材を連結するようにしたが、２個あるいは４個以上の入球口部材を連結する形態とすることもできる。さらに、入賞口を有した入球口部材に限らず、遊技球が通過するのみの構成であってその通過を検知するようにしたゲートを有する入球口部材等にも適用することができる。
【００３２】
その他、連結機構としては、揺動アームを採用するものに限らず、ねじ式やスライドレール式など各種の構成を採用することができる等、本発明は上記し且つ図面に示した実施例に限定されるものではなく、要旨を逸脱しない範囲内で適宜変更して実施し得るものである。
【００３３】
【発明の効果】
以上の説明にて明らかなように、本発明のパチンコ機の遊技盤によれば、２個の入球口部材を、相互間位置を無段階に調節可能に連結する連結機構を介して連結するようにしたので、入球口部材の取付作業性を向上させることができ、しかもその入球口部材を入球口部材の配置の異なる別の機種のものに共用させることを可能とするという優れた実用的効果を奏するものである。
【図面の簡単な説明】
【図１】本発明の一実施例を示すもので、入球口連結体の正面図
【図２】入球口連結体の上面図
【図３】入球口連結体の背面図
【図４】中央入球口部材の縦断側面図
【図５】遊技盤を概略的に示す正面図
【図６】中央入球口部材に対して側部入球口部材を側方に最大まで離間させた様子を示す入球口連結体の正面図
【図７】中央入球口部材の下方に側部入球口部材を位置させた様子を示す入球口連結体の正面図
【図８】中央入球口部材の上方に側部入球口部材を位置させた様子を示す入球口連結体の正面図
【図９】中央入球口部材に対して左右の側部入球口部材を上下に夫々位置させた様子を示す入球口連結体の正面図
【符号の説明】
図面中、１は遊技盤、２はベース板、４は遊技部、１０は入球口連結体、１８は中央入球口部材、１９は側部入球口部材、２０は連結機構、２２，２７は始動入賞口（入球口）、３３〜３６は揺動アーム、３７は中間連結アームを示す。
【図１】
0003962845.tif 000002
【図２】
0003962845.tif 000003
【図３】
0003962845.tif 000004
【図４】
0003962845.tif 000005
【図５】
0003962845.tif 000006
【図６】
0003962845.tif 000007
【図７】
0003962845.tif 000008
【図８】
0003962845.tif 000009
【図９】
0003962845.tif 000010